(57)【要約】【課題】ＲＦＩＤに対応するリーダーライター表示端末であって、表示機能を設けることにより、読み取り効率や書き込み効率を落とすことなく、表示機能に対する筐体サイズを大きくするといった、筐体のデザインや構造設計にも制約を与えない表示端末を提供すること。【解決手段】ＲＦＩＤに対して、読み出し及び書き込みを行う、アンテナを具備したＲＦＩＤ対応リーダーライター表示端末であって、表示端末の筐体側面に溝部を配置し、樹脂によりモールドされた帯状の導体ワイヤーからなるアンテナを、前記溝部に埋め込んだことを特徴とするＲＦＩＤ対応リーダーライター表示端末。【選択図】図１
2013239068.tif 000002
【特許請求の範囲】
【請求項１】
ＲＦＩＤに対して、読み出し及び書き込みを行う、アンテナを具備したＲＦＩＤ対応リーダーライター表示端末であって、
表示端末の筐体側面に溝部を配置し、樹脂によりモールドされた帯状の導体ワイヤーからなるアンテナを、前記溝部に埋め込んだことを特徴とするＲＦＩＤ対応リーダーライター表示端末。
【請求項２】
前記溝部に押しボタン式スイッチを設け、前記樹脂によりモールドされたアンテナを押すことにより、前記押しボタン式スイッチが動作することを特徴とする請求項１に記載のＲＦＩＤ対応リーダーライター表示端末。
【請求項３】
前記アンテナをモールドしている樹脂が、ゴムあるいはエラストマーからなる弾性体であり、前記溝部に埋め込まれたアンテナが、表示端末の筐体より大きく、前記筐体より盛り上がった衝撃緩和材であることを特徴とする請求項１または請求項２に記載のＲＦＩＤ対応リーダーライター表示端末。
【請求項４】
前記溝部に、アンテナ部との接続端子を備え、前記アンテナ部を外し、端子経由で外部端末との接続を行うことを特徴とする請求項１〜３のいずれか一項に記載のＲＦＩＤ対応リーダーライター表示端末。
【請求項５】
前記ＲＦＩＤ対応リーダーライター表示端末が、内部アンテナを持ち、前記アンテナ部が前記内部アンテナと電磁結合で接続したブースターアンテナであることを特徴とする請求項１〜３のいずれか一項に記載のＲＦＩＤ対応リーダーライター表示端末。
【発明の詳細な説明】
【技術分野】
【０００１】
本発明は、ＩＣチップを利用した非接触認証技術であるＲＦＩＤ（Ｒａｄｉｏ  Ｆｒｅｑｕｅｎｃｙ  Ｉｄｅｎｔｉｆｉｃａｔｉｏｎ）に対応するリーダーライター表示端末に関する。
【背景技術】
【０００２】
各種のＲＦＩＤ情報媒体から、非接触で情報の読み取りや読書きを行うためのリーダーライターは、平面状のアンテナと、アンテナに接続しているＩＣチップから構成されているＲＦＩＤの、アンテナを経由し、非接触でＩＣチップに対して、情報の読取りや、情報の書き込みを行うための端末である。
【０００３】
しかしながら、このＲＦＩＤ情報媒体とリーダーライター端末との間の、距離や傾き角度、すなわち、その相対位置や相対姿勢などによって、情報の読み取り頻度が大きく変わってしまうという問題がある。さらに、リーダーライター端末に表示機能を設けると、表示部の影響によりリーダーライターできない方向ができてしまう（特許文献１）。
【０００４】
無線通信を行う携帯電話機の筐体に、金属導体をコイル状に配線したアンテナとそれと電気的に接続されたＩＣ部品とからなる非接触式ＩＣカード機能部品が内蔵封止された表示端末が提案されている。しかしながら、リーダーライター機能を有する表示端末であり、非接触通信用のアンテナを表示機能のない領域に形成しているため、筐体の片面からのみで、リーダーライターできる面が限られてしまう（特許文献２）。
【０００５】
すなわち、非接触通信用のアンテナは、基板上に形成されているか、基板の層に重ねて配置して形成されており、表示部が設けられると、表示機能の層やバッテリー等の部材によって電磁界が遮蔽され、片面にしか電磁界が生成されない。そのため、筐体の両面からリーダーライター機能を使用することができず、ＲＦＩＤに端末をかざすときには、決められた面をかざさなければならない。
【０００６】
また、表示機能を備えた面にリーダーライター機能を設けた端末では、非接触通信用のアンテナを表示機能のない領域に形成する必要があるため、端末の筐体サイズを必要以上に大きくするか、表示機能を筐体の前面に対して小さくしなければならず、筐体のデザイン性や構造設計に大きな制約となってしまう。
【０００７】
既存の端末は、非接触通信用のアンテナを基板上やディスプレイの層に重ねて配置している。一例として、表示端末前面に表示部を持ち、裏面にアンテナ部が設けられた表示端末の場合、ＲＦＩＤを表示端末にかざしてもらうように表示部にてアナウンスすると、裏面にアンテナ部が設けられた既存の表示端末の場合、アナウンスが表示されている表示部の裏側にＲＦＩＤをかざさなくてはならず、非接触通信技術を知らない端末利用者にとっては、ＲＤＩＤをかざす面を間違える原因となる。
【０００８】
表示端末が、棚等に固定している状況を考えたとき、表示端末の背面にＲＦＩＤをかざすのは難しい。また、表示部の前面部に非接触通信用のアンテナを配置すると、表示部に対して、筐体の大きさを必要以上に大きくし、表示部を筐体の前面部に対して、小さくする等の工夫が必要で、表示機能が低下してしまう。
【先行技術文献】
【特許文献】
【０００９】
【特許文献１】特開２００７−２１９８０６号公報
【特許文献２】特許第４６７０１９５号公報
【発明の概要】
【発明が解決しようとする課題】
【００１０】
本発明は、上記の問題を解決するためになされたものであり、ＲＦＩＤに対応するリーダーライター表示端末であって、表示機能を設けることにより、読み取り効率や書き込み効率を落とすことなく、表示機能に対する筐体サイズを大きくするといった、筐体のデザインや構造設計にも制約を与えない表示端末を提供することにある。
【課題を解決するための手段】
【００１１】
上記の課題を解決するための手段として、請求項１に記載の発明は、ＲＦＩＤに対して、読み出し及び書き込みを行う、アンテナを具備したＲＦＩＤ対応リーダーライター表示端末であって、
表示端末の筐体側面に溝部を配置し、樹脂によりモールドされた帯状の導体ワイヤーからなるアンテナを、前記溝部に埋め込んだことを特徴とするＲＦＩＤ対応リーダーライター表示端末である。
【００１２】
また、請求項２に記載の発明は、前記溝部に押しボタン式スイッチを設け、前記樹脂によりモールドされたアンテナを押すことにより、前記押しボタン式スイッチが動作することを特徴とする請求項１に記載のＲＦＩＤ対応リーダーライター表示端末である。
【００１３】
また、請求項３に記載の発明は、前記アンテナをモールドしている樹脂が、ゴムあるいはエラストマーからなる弾性体であり、前記溝部に埋め込まれたアンテナが、表示端末の筐体より大きく、前記筐体より盛り上がった衝撃緩和材であることを特徴とする請求項１または請求項２に記載のＲＦＩＤ対応リーダーライター表示端末である。
【００１４】
また、請求項４に記載の発明は、前記溝部に、アンテナ部との接続端子を備え、前記アンテナ部を外し、端子経由で外部端末との接続を行うことを特徴とする請求項１〜３のいずれか一項に記載のＲＦＩＤ対応リーダーライター表示端末である。
【００１５】
また、請求項５に記載の発明は、前記ＲＦＩＤ対応リーダーライター表示端末が、内部アンテナを持ち、前記アンテナ部が前記内部アンテナと電磁結合で接続したブースターアンテナであることを特徴とする請求項１〜３のいずれか一項に記載のＲＦＩＤ対応リーダーライター表示端末である。
【発明の効果】
【００１６】
ＲＦＩＤに対しての、読み出し及び書き込みを行うための、通信に対する制限がなく、表示機能に対する筐体サイズや、筐体のデザイン性や構造設計への制限もなくなり、利便性が格段に改善されたＲＦＩＤ対応リーダーライター表示端末を提供することができる。
【図面の簡単な説明】
【００１７】
【図１】本願発明の、筐体２の周囲に、帯状のアンテナ部２０を設けたＲＦＩＤ対応リーダーライター表示端末を示した概念図である。
【図２】本願発明のＲＦＩＤ対応リーダーライター表示端末１０の、前面部４と背面部５を透明にし、アンテナ部２０の設置状態を示した概念図である。
【図３】本願発明のＲＦＩＤ対応リーダーライター表示端末１０の筐体２に設けられた溝部６を示した概念図である。
【図４】本願発明の、樹脂にモールドされたアンテナ部２０が筐体２より大きく、筐体２から盛り上がった状態を示した概念図である。
【図５】本願発明の、ＲＦＩＤ対応リーダーライター表示端末１０と接続部７にて結合するアンテナ部２０と、アンテナ部の構成を拡大して示した概念図である。
【図６】本願発明の、ＲＦＩＤ対応リーダーライター表示端末内に設けられたアンテナと電磁結合し、ブースターとして作用するアンテナ部２０を示した概念図である。
【図７】本願発明の、筐体２の厚み方向に導線を巻いたアンテナ部２０の断面を示した概念図である。
【図８】樹脂部９を透明にし、本願発明の、筐体２の厚み方向に導線３を巻いたアンテナ部２０の断面を示した概念図である。
【図９】本願発明の、筐体２の面方向に導線を巻いたアンテナ部２０の断面を示した概念図である。
【図１０】樹脂部９を透明にし、本願発明の、筐体２の面方向に導線３を巻いたアンテナ部２０の断面を示した概念図である。
【発明を実施するための形態】
【００１８】
以下本発明を実施するための形態を、図面を用いて詳細に説明する。図１は本願発明の筐体２の周囲に帯状のアンテナ部２０を設けたＲＦＩＤ対応リーダーライター表示端末１０を示しており、筐体２の周囲に沿って、非接触通信用のアンテナ部２０が形成されているため、筐体２の厚み方向に対して、上下に電磁界を発生させることができる。
【００１９】
図２は、ＲＦＩＤ対応リーダーライター表示端末１０の前面部４と背面部５を透明にし、アンテナ部２０の設置状態を示しており、筐体２の周囲に沿って、非接触通信用のアンテナ部２０が形成されている。
【００２０】
図３は、ＲＦＩＤ対応リーダーライター表示端末１０の筐体４を示しており、筐体２は、厚み方向に上下に分かれる部材である前面部、背面部を結合させて一体化される。筐体２の周囲の前面部４と背面部５の間に溝部６があり、ここにアンテナ部２０を脱着させることができる。アンテナ部２０は、導線が数周巻かれ、モールドしている樹脂が、ゴムあるいはエラストマーからなる弾性体であるため、樹脂中の導線が切れない程度に伸び縮みする。
【００２１】
また、前面部４と背面部５の部材結合部に形成された溝部６に対して、アンテナ２０部を装着させると、筐体２の溝部６は、樹脂に覆われ、気密性の高い筐体が構成され、帯状のアンテナ部２０がパッキンの役割を果たす。
【００２２】
図４は、樹脂にモールドされたアンテナ部が筐体より大きく、筐体から盛り上がった状態を示している。アンテナ部をモールドしている樹脂が弾性体であり、衝撃緩和材として働く。即ち、表示端末が何かに当たった場合、筐体から盛り上がった弾性体が当たることにより衝撃を吸収する。
【００２３】
この溝部６に外部端子を設け、必要に応じてアンテナ部２０を脱着させ、端子経由で外部端末と接続が可能になる。また、外部メディア等を挿入することも可能となる。また、溝部６にＳＤカード等の挿入口を設けた場合でも、樹脂にモールドされたアンテナ部により、外部端子や挿入口が樹脂で覆われ、防水や防塵といった気密性を増すことができる。
【００２４】
また、溝部６に押しボタン式スイッチを設けると、アンテナ部２０内の導線３が、弾性のある樹脂によりモールドされているため、アンテナ部２０を押すことにより、押しボタン式スイッチが押されて動作する。さらにアンテナ部２０の外側に、押しボタン式スイッチがあることを認識させるための凹凸を設けることもできる。
【００２５】
図５は、接合部７あるアンテナ部２０を示しており、ＲＦＩＤ対応リーダーライター表
示端末１０の溝部６に設けられた外部端子と接合部７を介して有線で接続される。
【００２６】
図６は、接合部７を持たないアンテナ部２０を示しており、ＲＦＩＤ対応リーダーライターの表示端末内アンテナ８と電磁結合で接続され、ブースターとして作用し、ＲＦＩＤ対応リーダーライター表示端末１０とは有線で接続されてない。
【００２７】
そのため、このアンテナ部２０単体で共振させるために、インダクタンス成分とコンダクタンス成分を持たせる必要があり、例えば、巻き線でインダクタンス成分を担い、チップコンデンサ等で共振周波数を調整される。
【００２８】
図７は、筐体２の厚み方向に導線３を巻いたアンテナ部断面３０を示しており、図８は、樹脂部９を透明にし、導線３の位置関係をより明確にしている。
【００２９】
図９は、筐体２の面方向に導線３を巻いたアンテナ部断面３０を示しており、図１０は、樹脂部９を透明にし、導線３の位置関係をより明確にしている。
【００３０】
基板やディスプレイの層つまり、筐体２の周囲に沿って、非接触通信用のアンテナを形成することにより、筐体２の厚み方向に対して、上下に電磁界を発生させることができる。
【００３１】
また、既存の構造のように、基板上にアンテナを形成したものや、アンテナの層を重ねて配置したものに対して、電磁結合を利用したブースターアンテナを筐体２の周囲に沿って、配置することにより、筐体２の厚み方向に対して、上下に電磁界を展開させることができる。
【００３２】
これにより、筐体２の背面部５はもちろん、筐体２の前面や表示部１の上からＲＦＩＤをかざした場合においても、リーダーライター機能を利用することができる。さらに、筐体２の前面がＩＤ‐１サイズ（８５．６ｘ５４．０ｍｍ）である場合、ＲＦＩＤや非接触ＩＣカードをかざしたとき、端末とカードのアンテナの結合度が良いため、電磁界のｎｕｌｌに囲まれる状況が極めて発生し難くなる。
【００３３】
筐体２の両面からＲＦＩＤに対して、読書きが可能になるため、当端末の利便性が上がる。さらに、ＲＦＩＤのアンテナ部２０と端末の形状が近い場合、電磁界の結合度が大きく、読み取り精度も良くなる。
【００３４】
溝部６に対して、アンテナ部２０を脱着させることができるため、筐体２の溝部６が樹脂に覆われ、気密性の高い筐体が構成される。帯状のアンテナ部２０がパッキンのような役割を果たす。また、この溝内に各端子等を有し、必要に応じてアンテナ部２０を脱着することにより、端子経由で外部端末と接続が可能になる。また、外部メディア等を挿入することも可能となる。
【符号の説明】
【００３５】
１・・・表示部
２・・・筐体
３・・・導線
４・・・前面部
５・・・背面部
６・・・溝部
７・・・接続端子
８・・・表示端末内アンテナ
９・・・樹脂部
１０・・・ＲＦＩＤ対応リーダーライター表示端末
２０・・・アンテナ部
３０・・・アンテナ部断面
【図１】
2013239068.tif 000003
【図２】
2013239068.tif 000004
【図３】
2013239068.tif 000005
【図４】
2013239068.tif 000006
【図５】
2013239068.tif 000007
【図６】
2013239068.tif 000008
【図７】
2013239068.tif 000009
【図８】
2013239068.tif 000010
【図９】
2013239068.tif 000011
【図１０】
2013239068.tif 000012